(57)【要約】【課題】オス端子と、接続装置本体内にオス端子を保持するために、硬質固定ペン先形状部に対してオス端子を押し下げるための、接続装置本体の端子受入れ空洞部のそれぞれに柔軟梁とを有する電気的接続装置を提供すること。【解決手段】電気的接続装置が、硬質固定ペン先形状部によって接続装置本体の端子空洞部内に保持されるオス端子と、硬質固定ペン先形状部に対して端子を押圧する柔軟片持ち梁とを備える。オス端子は、接続装置本体の嵌め合わせ端部でソケットの中に突出する刃部を備える。ソケット内に配置された安定化装置は、端子の挿入を接続装置本体に固定した係合状態にさせる装着前の位置と、ソケット内の刃部を安定化し、端子空洞部内の端子保持力を向上させる安定化位置との間で変位する。【選択図】図５
2008078133.tif 000002
【特許請求の範囲】
【請求項１】
接続装置本体と、絶縁導線に取り付けられたオス端子と、安定化装置とを備えた電気的接続装置であって、
前記接続装置本体は、挿入端部での開口部から前記接続装置本体の嵌め合わせ端部での一体型ソケットの中の開口部に、前記接続装置本体の中を通って延在する端子空洞部を有し、
前記接続装置本体は、前記接続装置本体内に前記端子を保持するため前記端子空洞部の中の内側に突出する硬質端子固定部と、前記硬質端子固定部により固定した係合状態へと前記端子を押圧するため前記硬質端子固定部に対向する片持ち柔軟梁とを有し、
前記安定化装置は、装着前位置と端子安定化位置との間で前記ソケット内の横方向の移動のため前記ソケット内に変位可能に配置されており、
前記安定化装置は、装着部と、前記装着部の１つの側に刃部安定化部とを含む１つの通路を有し、
前記装着部は、前記安定化装置が前記装着前位置内にあるときに、前記端子空洞部と位置合わせされて、前記挿入端部での前記開口部を介して前記オス端子を前記端子空洞部の中に挿入することにより、前記オス端子を前記接続装置本体の中に装着させることを可能にし、それにより、前記オス端子の１つの前端部における１つのオス刃が前記安定化装置通路の前記装着部の中を通って突出し、
前記装着部は、前記端子を傾斜させ、前記硬質端子固定部の上に重なるようにさせることを可能にするため、および前記硬質端子固定部により固定した係合状態には十分な高さであり、
前記通路の前記刃部安定化部は、前記安定化装置が前記端子安定化位置内にあるときに、前記オス刃を垂直に取り込み、前記オス刃の前記垂直位置を前記ソケット内で安定させる、
電気的接続装置。
【請求項２】
前記安定化装置は、前記安定化装置が前記端子安定化位置内にあるときに、前記片持ち柔軟梁に隣接して配置される縦フィンガを有し、それにより、前記片持ち柔軟梁は、単純支持梁として各端部で支持され、したがって端子保持力を向上させる、請求項１に記載の電気的接続装置。
【請求項３】
前記通路は概してＴ字形であり、前記装着部は拡大長方形装着部であり、前記刃部安定化部は前記装着部の１つの側での幅狭の刃部安定化スロットである、請求項１に記載の電気的接続装置。
【請求項４】
前記安定化装置は、前記刃部安定化スロットと垂直に配列して後方に突出する縦フィンガを有し、前記縦フィンガは、前記安定化装置が前記端子安定化位置内にあるときに、前記片持ち柔軟梁と隣接して配置され、それにより、前記片持ち柔軟梁が単純支持梁として各端部で支持され、したがって端子保持力を向上させる、請求項３に記載の電気的接続装置。
【請求項５】
接続装置本体と、絶縁導線に取り付けられた複数のオス端子と、安定化装置とを備えた電気的接続装置であって、
前記接続装置本体は、挿入端部での開口部から前記接続装置本体の嵌め合わせ端部での一体型ソケットの中の開口部に、前記接続装置本体の中を通って延在する１列の端子空洞部を有し、
前記接続装置本体は、前記接続装置本体内に前記端子を保持するため前記端子空洞部の中の内側に突出する硬質端子固定部と、前記硬質端子固定部により固定した係合状態へと前記端子を押圧するため前記硬質端子固定部に対向する片持ち柔軟梁とを有し、
前記安定化装置は、装着前位置と端子安定化位置との間の前記ソケット内の横方向の移動のため前記ソケット内に変位可能に配置されており、
前記安定化装置は、装着部と、前記装着部の１つの側に刃部安定化部とを含む複数の通路を有し、
前記装着部は、前記安定化装置が前記装着前位置内にあるときに、前記端子空洞部と位置合わせされて、前記挿入端部での前記開口部を介して前記オス端子を前記端子空洞部の中に挿入することにより、前記オス端子を前記接続装置本体の中に装着させることを可能にし、それにより、前記端子の前端部におけるオス刃が前記安定化装置通路の前記装着部の中を通って突出し、
前記装着部は、前記端子を傾斜させ、前記硬質端子固定部の上に重なるようにさせることを可能にするため、および前記硬質端子固定部により固定した係合状態には十分な高さであり、
前記通路の前記刃部安定化部は、前記安定化装置が前記端子安定化位置内にあるときに、前記オス刃を垂直に取り込み、前記オス刃の前記垂直位置を前記ソケット内で安定させ、したがって、前記オス刃が前記嵌め合わせ接続装置のメス端子によって受け入れられる嵌め合わせ接続装置への接続を容易にする、
電気的接続装置。
【請求項６】
前記安定化装置は、前記安定化装置が前記端子安定化位置内にあるときに、前記片持ち柔軟梁のそれぞれのものに隣接して配置される１列の縦フィンガを有し、それにより、各片持ち柔軟梁は、単純支持梁として各端部で支持され、したがって端子保持力を向上させる、請求項５に記載の電気的接続装置。
【請求項７】
前記通路は概してＴ字形であり、前記装着部は拡大長方形装着部であり、前記刃部安定化部は前記装着部の１つの側での幅狭の刃部安定化スロットである、請求項５に記載の電気的接続装置。
【請求項８】
前記安定化装置は、前記刃部安定化スロットと垂直に配列して後方に突出する１列の縦フィンガを有し、前記縦フィンガは、前記安定化装置が前記端子安定化位置内にあるときに、前記片持ち柔軟梁のそれぞれのものに隣接して配置され、それにより、各片持ち柔軟梁が単純支持梁として各端部で支持され、したがって端子保持力を向上させる、請求項７に記載の電気的接続装置。
【請求項９】
接続装置本体と、絶縁導体に取り付けられた複数のオス端子と、安定化装置とを備えた電気的接続装置であって、
前記接続装置本体は、挿入端部での開口部から前記接続装置本体の嵌め合わせ端部での一体型ソケットの中の開口部に、前記接続装置本体の中を通って延在する２つの平行な列の端子空洞部を有し、
前記接続装置本体は、前記接続装置本体内に前記端子を保持するため前記端子空洞部の中の内側に突出する硬質端子固定部と、前記硬質端子固定部により固定した係合状態へと前記端子を押圧するため前記硬質端子固定部に対向する片持ち柔軟梁とを有し、
前記安定化装置は、装着前位置と端子安定化位置との間の前記ソケット内の横方向の移動のため前記ソケット内に変位可能に配置されており、
前記安定化装置が、装着部と、前記装着部の１つの側に刃部安定化部とを含む通路を有し、
前記装着部は、前記安定化装置が前記装着前位置内にあるときに、前記端子空洞部と位置合わせされて、前記挿入端部での前記開口部を介して前記端子空洞部の中に前記オス端子を挿入することにより、前記オス端子を前記接続装置本体の中に装着させることを可能にし、それにより、前記端子の前端部におけるオス刃が前記安定化装置通路の前記装着部の中を通って突出し、
前記装着部は、前記端子を内側に傾斜させ、前記硬質端子固定部の上に重なるようにさせることを可能にするため、および前記硬質端子固定部により固定した係合状態には十分な高さであり、
前記通路の前記刃部安定化部は、前記安定化装置が前記端子安定化位置内にあるときに、前記オス刃を垂直に取り込み、前記オス刃の前記垂直位置を前記ソケット内で安定させ、したがって、前記オス刃が前記嵌め合わせ接続装置のメス端子によって受け入れられる嵌め合わせ接続装置への接続を容易にする、
電気的接続装置。
【請求項１０】
前記安定化装置は、前記安定化装置が前記端子安定化位置内にあるときに、柔軟梁の各組の間に配置される１列の縦フィンガを有し、それにより、各片持ち柔軟梁は、単純支持梁として各端部で支持され、したがって端子保持力を向上させる、請求項９に記載の電気的接続装置。
【請求項１１】
前記通路は概してＴ字形であり、前記装着部は拡大長方形装着部であり、前記刃部安定化部は前記装着部の１つの側での幅狭の刃部安定化スロットである、請求項９に記載の電気的接続装置。
【請求項１２】
前記安定化装置は、前記刃部安定化スロットと垂直に配列して後方に突出する１列の縦フィンガを有し、前記縦フィンガは、前記安定化装置が前記端子安定化位置内にあるときに、柔軟梁の組の間に配置され、それにより、各柔軟梁が単純支持梁として各端部で支持され、したがって端子保持力を向上させる、請求項１１に記載の電気的接続装置。
【請求項１３】
前記安定化装置は、前記オス刃を保護するために前方に突出する１列の縦の非スコップ型塔形状部を備えた、請求項１１に記載の電気的接続装置。
【発明の詳細な説明】
【技術分野】
【０００１】
本発明は、概して、電気的接続装置に関し、より詳細には、接続装置本体が端子保持力を向上させるための柔軟梁を備えた電気的接続装置に関する。
【背景技術】
【０００２】
１９９９年１１月９日に、Ｊｏｈｎ  Ｍｏｒｅｌｌｏらに付与された米国特許第５，９８０，３１８号は、複数の端子受入れ空洞部を備えた接続装置本体を有する電気的接続装置を開示している。端子受入れ空洞部のそれぞれは、硬質床と、対向した直立壁とによって部分的に画定される。硬質固定ペン先形状部が硬質床から端子受取り空洞部の中に上向きに延在する。柔軟梁が、硬質床に対向し空洞部内の端子を係合して、硬質固定ペン先形状部に対して端子を押し下げて、端子受入れ空洞部内に端子を保持する。接続装置本体は、端子受入れ空洞部のそれぞれの中にメス端子を受け入れるために構成され、配置されている。この電気的接続装置は、メス端子を収容するその本来の目的にはよく適している。しかし、この電気的接続装置は、接続装置本体のソケット部の中に突出する接触刃または同様の物を有するオス端子を収容するのにはあまり適していない。
【０００３】
１９９９年３月９日に、Ｋｏｕｎｔｚらに付与された米国特許第５，８７９，１７４号は、接続装置本体が、接続装置本体のソケット部分の中に突出する刃部を有するオス端子による、端子空洞部のそれぞれの中に１つのオス端子を受け入れるために構成され、配置されている電気的接続装置を開示している。この電気的接続装置は、オス端子から突出する刃部を位置合わせするためにソケットの刃部内に挿入されるオス刃安定化装置を含む。この安定化装置は、嵌め合わせ電気的接続装置がソケット部の中に押圧されるときには、前方の実行前位置から後方の実行位置に長手方向に移動する。オス端子は柔軟固定フィンガによって端子空洞部内に保持される。
【特許文献１】米国特許第５，９８０，３１８号
【特許文献２】米国特許第５，８７９，１７４号
【発明の開示】
【発明が解決しようとする課題】
【０００４】
本発明はオス端子と、接続装置本体内にオス端子を保持するために、硬質固定ペン先形状部に対してオス端子を押し下げるための接続装置本体の端子受入れ空洞部のそれぞれに柔軟梁とを有する電気的接続装置を提供する。オス端子は接続装置本体のソケット部の中に突出する刃部を有し、電気的接続装置は接続装置本体のソケット部内に配置される安定化装置を含む。安定化装置は、装着前位置から端子安定化位置に横方向に移動する。安定化装置により、装着前位置内の端子を接続装置本体の中に装着することが可能になる。この端子安定化位置では、安定化装置はオス端子刃をソケット内に位置づけ、また端子保持力も向上させる。
【課題を解決するための手段】
【０００５】
【発明を実施するための最良の形態】
【０００６】
ここで図１を参照すると、電気的接続装置１０は、接続装置本体１２と、絶縁導線１６に取り付けられた複数のオス端子１４と、安定化装置１８とを備える。接続装置本体１２は、接続装置本体１２の中を通って、挿入端部２２での開口部から接続装置本体の嵌め合わせ端部２６での一体型ソケット２４の中の開口部に延在する２つの平行な列の端子空洞部２０を有する。
【０００７】
接続装置本体１２は、図６に最も良く示すように、接続装置本体１２内に端子１４を保持するため端子空洞部２０の中の内側に突出する硬質端子固定部２８と、硬質端子固定部２８により固定した係合状態へと外側にある端子１４を押圧するため硬質端子固定部２８に対向する片持ち柔軟梁３０とを備える。
【０００８】
安定化装置１８はソケット２４内に配置され、図２および３に示す装着前位置と、図４、５および６に示す端子安定化位置との間をソケット内で横方向に移動する。安定化装置１８は、拡大長方形装着部３４と、装着部３４の１つの側に幅狭の刃部安定化スロット３６とを含む複数の概してＴ字形の通路３２を備える。
【０００９】
装着部３４は、安定化装置１８が図２および３に示す装着前位置内にあるときに、端子空洞部２０と位置合わせされる。安定化装置１８のこの装着前位置は、挿入端部２２での開口部を介してオス端子１４を端子空洞部２０の中に挿入することにより、オス端子１４を接続装置本体１２の中に装着させることを可能にする。端子１２が挿入されるときには、端子１４の前端部におけるオス刃３８は、安定化装置の通路３２の拡大長方形装着部３４の中を通って突出する。これらの装着部３４は、図２および３に示す典型的な下側の端子空洞部２０内に部分的に挿入された端子１４が示すように、端子１４を内側に傾斜させ、硬質端子固定部２８の上に重なるようにさせるためには十分な高さである。
【００１０】
オス端子１４が硬質端子固定部２８によって端子空洞部２０のそれぞれに装着され、固定された後には、安定化装置１８は、図２および３に示す装着前位置から図４、５および６に示す端子安定化位置に変位する。この変位により２つのことがなされる。ここで、オス刃３８は、図４、５および６に示す典型的な下側の端子空洞部２０内に完全に挿入された端子１４が最も良く示すように、通路３２の幅狭の刃部安定化スロット３６によって垂直に取り込まれる。これにより、オス刃３８の垂直位置がソケット２４内で安定し、したがって、オス刃３８が嵌め合わせ接続装置のメス端子（図示せず）によって受け入れられる嵌め合わせ接続装置への接続が容易になる。また、垂直に安定することにより、硬質端子固定部２８との十分な係合から端子が斜めになることを防ぐことで端子保持力が向上する。
【００１１】
端子保持力は、刃部安定化スロット３６と垂直に配列して安定化装置１８から後方に突出する１列の縦フィンガ４０によってさらに向上する。安定化装置１８の変位は、図６に最も良く示すように、フィンガ４０を柔軟梁３０の各組の間の位置の横方向に変位させる。各柔軟梁３０はここで、単純支持梁として各端部で支持され、したがって、硬質端子固定部２８による係合状態へと外側にある端子１４を押圧する柔軟梁３０の力が強化される。
【００１２】
各通路３２は、検査ピンを装着補償器（図示せず）から受け取るために使用可能である電気的外輪ポート４２も含んでよい。ピンは、端子が端子空洞部内に固定された位置にあることを示すことになる。
【００１３】
安定化装置１８は、ソケット２４内に安定化装置１８を保持するために、一方、安定化装置１８を図２および３に示す装着前位置から図４、５および６に示す端子安定化位置に横方向に変位させるために、ソケット２４の内側端部での内部保持溝４６の後方に延在し、その保持溝の後ろ側で摺動する複数の上側および下側の柔軟フック４４を含んでもよい。
【００１４】
安定化装置１８はまた、変位スロット４７および摺動固定部４８を含んでもよい。変位スロット４７はソケット２４内のタブ４９と協働して、安定化装置１８の横方向の変位を限定する。摺動固定部４８は、選択フィンガ４０から横方向に突出し、端子空洞部側壁内のスロット５０と協働して、図５に最も良く示すように安定化装置１８を端子安定化位置に固定する。
【００１５】
安定化装置１８はまた、ソケット２４の中の前方に突出する１列の非スコップ型塔形状部５２を含んでもよい。非スコップ型塔形状部は、電気的接続装置１０が嵌め合わせメス端子を備えた嵌め合わせ電気的接続装置（図示せず）と係合される場合には、オス刃３８を保護する。
【００１６】
本発明により広範な有用性および適用が可能であることは、当業者には容易に理解されるであろう。上述したもの以外の本発明について多数の実施形態および適応、ならびに多数の変形、修正および均等物構成が、本発明の要旨または範囲から逸脱することなく、本発明および前述の説明から明らかであり、またはそれらによって合理的に示唆されるであろう。本明細書において本発明をその好ましい実施形態に関して詳細に述べてきたが、したがって、この開示が、本発明の単なる例示、および一例に過ぎず、単に本発明の完全なおよび授権の開示を提供する目的のためだけになされていることが理解されるはずである。前述の開示は、本発明を限定することを、もしくはこの種の他の実施形態適応、変形、修正および均等物構成のいずれをも含まないことを意図しておらず、または解釈されるべきではく、本発明は、添付の特許請求項およびその均等物によってのみ限定される。
【図面の簡単な説明】
【００１７】
【図１】本発明の実施形態を示す電気的接続装置の斜視図である。
【図２】端子装着位置における安定化装置を示す図１の電気的接続装置の正面図である。
【図３】図２の矢印方向を見て線３−３に沿った電気的接続装置の長手方向断面図である。
【図４】端子安定化位置における安定化装置を示す図１の電気的接続装置の正面図である。
【図５】矢印方向を見て図４の線５−５に沿った電気的接続装置の横断面図である。
【図６】矢印方向を見て図４の線６−６に沿った電気的接続装置の長手方向断面図である。
【符号の説明】
【００１８】
１０  電気的接続装置
１２  接続装置本体
１４  オス端子
１６  絶縁導線
１８  安定化装置
２０  端子空洞部
２２  挿入端部
２４  一体型ソケット
２６  嵌め合わせ端部
２８  硬質端子固定部
３０  片持ち柔軟梁
３２  Ｔ字形通路
３４  拡大長方形装着部
３６  刃部安定化スロット
３８  オス刃
４０  フィンガ
４２  電気的外輪ポート
４４  柔軟フック
４６  内部保持溝
４７  変位スロット
４８  摺動固定部
４９  タブ
５０  スロット
５２  非スコップ型塔形状部
【図１】
2008078133.tif 000003
【図２】
2008078133.tif 000004
【図３】
2008078133.tif 000005
【図４】
2008078133.tif 000006
【図５】
2008078133.tif 000007
【図６】
2008078133.tif 000008
【外国語明細書】
2008078133000001.pdf